(57)【特許請求の範囲】
【請求項１】
給湯を行うための給湯側缶体部及び風呂追い焚きを行うための風呂側缶体部からなる缶体を備えた一缶二水路式燃焼装置において、前記風呂側缶体部の出口側に接続された第一の管路と、前記風呂側缶体部の入口側に接続された第二の管路と、該第二の管路に設けられ、前記風呂側缶体部に水を送るポンプと、前記第一の管路から分岐し、前記ポンプの上流側の前記第二の管路に接続されたバイパス管と、分岐前の前記第一の管路に流れる水の流量を、前記バイパス管及び分岐後の前記第一の管路に任意の比率で分配することができる弁とを有し、
給湯と風呂追い焚きが同時に行われているときに、風呂追い焚き停止指令が出された場合、前記弁を分岐前の前記第一の管路に流れる流量のほぼ全量を前記バイパス管に分配するように作動させ、それに合わせて、前記缶体に与える熱量を徐々に減少させることを特徴とする燃焼装置。
【請求項２】
前記缶体に与える熱量を前記給湯側缶体部を流れる水の温度に従って減少させることを特徴とする請求項１に記載の燃焼装置。
【請求項３】
前記風呂側缶体部に流れる水の温度が所定温度に達したときに、ポンプの作動が停止されることを特徴とする請求項２に記載の燃焼装置。
【請求項４】
給湯を行うための給湯側缶体部及び風呂追い焚きを行うための風呂側缶体部からなる缶体を備えた一缶二水路式燃焼装置において、前記風呂側缶体部の出口側に接続された第一の管路と、前記風呂側缶体部の入口側に接続された第二の管路と、該第二の管路に設けられ、前記風呂側缶体部に水を送るポンプと、前記第一の管路から分岐し、前記ポンプの上流側の前記第二の管路に接続されたバイパス管と、分岐前の前記第一の管路に流れる水の流量を、前記バイパス管及び分岐後の前記第一の管路に任意の比率で分配することができる弁とを有し、
給湯のみが行われているときに、風呂追い焚き指令が出された場合、前記ポンプを作動させ、前記弁を分岐前の前記第一の管路に流れる流量のほぼ全量を前記バイパス管に分配する状態から分岐後の前記第一の管路に分配する状態に作動させると共に、前記缶体に与える熱量を徐々に増加させることを特徴とする燃焼装置。
【請求項５】
前記缶体に与える熱量を前記給湯側缶体部を流れる水の温度に従って増加させることを特徴とする請求項４に記載の燃焼装置。
【請求項６】
前記風呂側缶体部に流れる水の温度が所定温度に達した後に、前記弁の作動及び前記缶体に与えられる熱量の増加が行われることを特徴とする請求項５に記載の燃焼装置。
【発明の詳細な説明】
【０００１】
【発明の属する技術分野】
本発明は、給湯路と風呂追い焚き路が単一の熱交換器内を通過する一缶二水路式の燃焼装置に関するものである。
【０００２】
【従来の技術】
従来、いわゆる一缶二水路式燃焼装置において、給湯が行われているとき、即ち、バーナーが燃焼し、給湯側缶体部に水が流れているときに、風呂の追い焚き指令が出されると、循環ポンプを駆動させ、風呂側缶体部に水を流すことによって風呂追い焚きは開始され、さらに、給湯と風呂の追い焚き両方が行われているときに、追い焚きの停止指令が出されると、循環ポンプを止め、風呂側缶体部への水の流れを止めることによって、風呂追い焚きは止められていた。
【０００３】
【発明が解決しようとする課題】
しかし、給湯中に追い焚き指令が出されることにより、風呂側缶体部に水を流すと、いままで、給湯側缶体部に流れている水の加熱に使われていたバーナーの燃焼による熱量の一部が、風呂側缶体部に流れる水の加熱のために使用されることとなる。そのため、給湯側缶体部に流れる水を所定の設定温度まで加熱する熱量が不足し、給湯温度は低下する。このとき、例えば、給湯温度サーミスタにより検出される給湯温度の温度低下を検知してから、給湯側缶体部に流れる水に所定温度まで加熱するための熱量を与えるように、供給ガス量を増加させる燃焼制御が行われるが、一時的な給湯温度の変化は避けられない。
【０００４】
また、給湯と風呂追い焚きが同時に行われているとき、風呂追い焚きの停止指令が出されることにより、風呂側缶体部に流れる水の流れが止まる。そのため、給湯側缶体部に流れる水にそれを所定温度まで加熱するのに必要な熱量より多い熱量が与えられてしまい、給湯温度は設定温度以上に上昇する。このとき、上述同様に、例えば、給湯温度サーミスタにより検出される給湯温度の温度上昇を検知してから、給湯側缶体部に流れる水を所定の設定温度まで加熱するための熱量を与えるように、供給ガス量を減少させる燃焼制御が行われるが、一時的な給湯温度の変化は避けられない。
【０００５】
そこで、本発明は、給湯中に風呂追い焚きが開始されたとき、及び、給湯と風呂追い焚きの同時使用中に風呂の追い焚きが止められたときに、給湯温度が一定に維持されるようにすることを目的とする。
【０００６】
【課題を解決するための手段】
上記本発明の目的は、給湯を行うための給湯側缶体部部及び風呂追い焚きを行うための風呂側缶体部からなる缶体を備えた一缶二水路式燃焼装置において、
前記風呂側缶体部の出口側に接続された第一の管路と、
前記風呂側缶体部の入口側に接続された第二の管路と、
該第二の管路に設けられ、前記風呂側缶体部に水を送るポンプと、
前記第一の管路から分岐し、前記ポンプの上流側の前記第二の管路に接続されたバイパス管と、
分岐前の前記第一の管路に流れる水の流量を、前記バイパス管及び分岐後の前記第一の管路に任意の比率で分配することができる弁とを有することを特徴とする燃焼装置を提供することにより達成される。
【０００７】
また、給湯と風呂追い焚きが同時に行われているときに、風呂追い焚き停止指令が出された場合、前記弁を分岐前の前記第一の管路に流れる流量のほぼ全量を前記バイパス管に分配するように作動させ、それに合わせて、前記缶体に与える熱量を徐々に減少させることによって上記燃焼装置は制御される。
【０００８】
前記缶体に与える熱量は、前記給湯側缶体部を流れる水の温度に従って減少させられることが好ましい。
【０００９】
また、前記風呂側缶体部に流れる水の温度が所定温度に達したとき、即ち、前記風呂側缶体部に流れる水が熱交換をこれ以上を行わなくなったときに、ポンプの作動が停止されるように上記燃焼装置は制御される。
【００１０】
さらに、給湯のみが行われているときに、風呂追い焚き指令が出された場合、前記ポンプを作動させ、前記弁を分岐前の前記第一の管路に流れる流量のほぼ全量を前記バイパス管に分配する状態から分岐後の前記第一の管路に分配する状態に作動させると共に、前記缶体に与える熱量を徐々に増加させることによって上記燃焼装置は制御される。
【００１１】
前記缶体に与える熱量は、前記給湯側缶体部を流れる水の温度に従って増加させられることが好ましい。
【００１２】
また、前記風呂側缶体部に流れる水の温度が所定温度に達した後に、前記弁の作動及び前記缶体に与えられる熱量の増加が行われるように上記燃焼装置が制御されてもよい。
【００１３】
【発明の実施の形態】
以下、本発明の実施の形態について図面に従って説明する。しかしながら、本発明の技術的範囲がこの実施の形態に限定されるものではない。
【００１４】
図１は、本発明の実施の形態における一缶二水路式燃焼装置の概略構成図である。図１において、缶体１は、給湯側缶体部１ａと風呂側缶体部１ｂとからなり、フィン２を共有している。缶体１は、バーナー３によって加熱され、バーナー３には、ガス供給通路４から燃料ガスが供給される。ガス供給通路４には、このガス供給通路４の開閉を行うガス電磁弁２４とガス供給量を調節するガス比例弁２５が設けられている。バーナー２の上面側にはバーナー２の点火を行うイグナイタ電極５と炎を検知するフレームロッド電極６が設けられている。
【００１５】
給湯側缶体部１ａの入口側には、給湯側缶体部１ａに水を供給する給水通路として機能する給水管７が接続されており、この給水管７には、給湯側缶体部１ａに供給する水の温度を検出する給水側入水温度センサ８と、給湯側缶体部１ａに供給される水の流量を検出する給湯側水量センサ９が設けられている。給湯側缶体部１ａの出口側には、給湯側缶体部１ａによって加熱された湯が出湯される給湯管１０が接続され、台所などの所望の場所に導かれる。この給湯管１０には、給湯側缶体部１ａから出湯される湯の温度を検出する給湯側出湯温度センサ１１が設けられている。
【００１６】
一方、風呂側缶体部１ｂには、その入口側及び出口側にそれぞれ入口側追い焚き循環管路１３ａ及び出口側追い焚き循環管路１３ｂが接続されており、さらに、両追い焚き循環管路１３ａ、ｂは浴槽１４に接続されている。また、入口側追い焚き循環管路１３ａには、循環ポンプ１５が設けられており、この循環ポンプ１５の作動により、浴槽１４内の湯水が風呂側缶体部１ｂも送られるようになっている。さらに、風呂側入水温度センサ１６及び風呂側水量センサ１７が循環ポンプ１５の下流側に取り付けられている。
【００１７】
また、この一缶二水路式燃焼装置には制御装置２０が設けられており、制御装置２０にはリモコン２１が接続されている。リモコン２１の指示などに従い、制御装置２０により給湯及び追い焚きの燃焼制御が行われるようになっている。例えば、台所などで給湯栓２８が開けられると、給水管７に水が流れ、それを給湯側入水センサ９が検知する。制御装置２０は給湯側水量センサ９から入水検知信号を受けると、ガス供給通路４のガス電磁弁２４とガス比例弁２５を開けて、イグナイタ電極５を放電させ点火を行い、フレームロッド電極６で炎を検知した後に、給湯温度センサ１１で検出される給湯温度がリモコン２１で設定される設定温度となるように、ガス比例弁２５の開度を制御する。そして、このような制御により給湯管１０からはリモコン２１で設定した設定温度の湯が台所などの所望の場所に供給される。
【００１８】
また、リモコン２１などで追い焚き運転が指令されたときには、制御装置２０は、追い焚き循環管路１３の循環ポンプ１５を駆動させて、浴槽１４内の水（湯）を追い焚き循環管路１３を介して循環させる。そして、風呂側水量センサ１７が水（湯）の流れを検知すると、制御装置２０はガス供給通路４のガス電磁弁２４及びガス比例弁２５を開き、点火によりバーナ２を燃焼させて風呂側缶体部１ｂを通る循環湯水を加熱して浴槽１４内の水（湯）の追い焚きを行う。そして、風呂側出湯温度センサ２２で検出される風呂温度がリモコン２１によって設定される風呂設定温度に達したときに追い焚き運転は停止される。
【００１９】
また、本発明における一缶二水路式燃焼装置においては、三方弁１８が、風呂側缶体部１ｂから出湯された湯の一部又は全部を浴槽１４をバイパスさせて、風呂側缶体部１ｂの出湯側から循環ポンプ１５の上流側に接続されたバイパス管１９が設けられている。三方弁１８は、風呂側缶体部１ｂの出口側からの流量を、浴槽１４及びバイパス管１９に任意の比率で分配することができる。
【００２０】
図２は、三方弁１８を説明するための図である。図２（ａ）はその三方弁１８の構成図であり、１つの入水通路と２つの出水通路I、IIが設けられた管部分１８１と図示しないモータによって回転される回転体部分１８２によって構成される。図２（ｂ）及び（ｃ）は、それぞれ回転体部分１８２の側面図及び断面図である。これらの図によれば、回転体部分１８２は、その内部に流れ込む水を出水通路I、IIへ流すための断面積の異なる複数の穴が回転体部分１８２の側面に設けられている。これらの穴は、回転体１８２の中心軸に対向している２つの穴の断面積の和が一定になるように配置されている。
【００２１】
従って、回転体１８２を管部分１８１に対して回転させ、任意の位置に位置決めすることにより、入水通路からの水を２つの出水通路I、IIに任意の流量比率で分配できる。例えば、図２（ｄ）に示すように、回転体１８２が上記出水通路I、IIに対して図２（ｃ）における位置（１）に位置決めされた場合、同量即ち流量比I：II＝0.5:0.5 の水が出水通路I、IIに流れ、位置（２）に位置決めされた場合、２つの出水通路I、IIに流れる流量比はI：II＝0.1:0.9 となる。
【００２２】
また、図２（ｄ）において、三方弁１８がＡの状態にあるときは、図１において、出湯された湯はすべて浴槽１４へ流れ込み、バイパス管１９には流れない状態であることを示す。さらに、Ｂの状態にあるときは、出湯された湯はすべてバイパス管１９に流れ、浴槽１４へは流れない状態であることを示す。
【００２３】
今、上述したような燃焼装置において、給湯と風呂の追い焚きが両方行われているとき、風呂側缶体部１ｂには、循環ポンプ１５の駆動により湯が流れている。このとき、三方弁１８は、風呂側缶体部１ｂから出湯された湯をすべて浴槽１４へ流し、バイパス管１９には湯が流れないように調節されている。即ち、図２（ｄ）において、Ａの状態にある。このとき、リモコン２１などにより風呂追い焚きの停止指令が出されると、上述のように、従来は、循環ポンプ１５が止められ、風呂側缶体部１ｂにおける熱交換量が急減することによって給湯温度の一時的な上昇を招いていたが、本発明においては、以下に述べる第一の実施の形態によって給湯温度を制御する。
【００２４】
図５は、本発明の実施の形態の動作を説明するフローチャートであり、さらに、図３は、本実施の第一の実施の形態における、（ａ）給湯側缶体部１ａ内の水の温度、（ｂ）風呂側缶体部１ｂ内の水の温度、（ｃ）ガス比例弁２５開度、（ｄ）循環ポンプ１５及び（ｅ）三方弁１８の状態を示すグラフである。
【００２５】
まず、図５におけるステップＳ１において、追い焚き停止指令が出された場合、ステップＳ２において三方弁１８の位置は図２における状態Ａから状態Ｂに調節される（図３（ｅ）実線部参照）。これにより、浴槽１４への流れが止められ、風呂側缶体部１ｂから出湯された湯すべてがバイパス管１９へ流れる。一方、循環ポンプ１５は図３（ｄ）に示すように第一の時間である所定時間ｔ1 の間止めず、湯をバイパス管１９を経由させて風呂側缶体部１ｂに流しつづける。この結果、浴槽１４に加熱された湯が循環しないので、浴槽湯への追い焚きは停止するが、風呂側缶体部１ｂには湯が流れ続けているので、風呂側缶体部１ｂ内においては引き続き熱交換が行われるので、図３（ａ）の実線部に示すように、給湯側缶体部１ｂに与えられる熱量はほぼ変化せず、給湯側缶体部１ａ内の水温は一定に保たれる。
【００２６】
この点について詳しく説明すると、バイパス管１９を経由して流れる湯が三方弁１８の駆動時間に応じて、少量から全量に変化をつづけ、図３（ｂ）に示すように、比較的時間をかけて湯の温度が上昇する。これにつれて、給湯側缶体１ａに与えられる熱量は増加するが、給湯側出湯サーミスタ１１による比例弁２５の開度調整（フィードバック）制御追従範囲内の温度変化量（単位時間当たり）なので、図３（ａ）に示されように、給湯温度の変化はない。
【００２７】
三方弁１８の駆動が終了し、追い焚き循環管路１３ａ、ｂに流れる湯水の全量がバイパス管１９を通るようになると、比較的短時間に追い焚き循環管路１３ａ、ｂに流れる湯水の温度が上昇する。これにつれて、給湯側缶体部１ａに与えられる熱量が増加し、給湯側出湯サーミスタ１１による給湯湯温の更なる上昇検知による比例弁２５の開度調整が行われるまでの（フィードバック制御であるがための）タイムラグΔＸにより給湯温度に少量の上昇が起きる。
【００２８】
さらに詳しくは、この給湯温度の少量の上昇は、図３（ｂ）に示すように、風呂側缶体１ａ内の温度変化量が、フィードバック制御によって比例弁２５の開度を制御した場合の給湯湯温の変化が起きない範囲内の上限変化量θ’より大きい変化量θとなったとき、給湯側出湯サーミスタ１１によって、その変化量θを検出してフィードバック制御が行われるまでの時間ΔＸの遅れによって生じる。図３（ｂ）において、変化量θがＸ時間後に上限変化量θ’以内になった場合、ΔＸ時間経過後Ｘ’時間で変化量θに対応する比例弁２５の制御を行うが、ΔＸ時＋Ｘ’時間の間、給湯湯温は図３（ａ）に示すように若干変化する。その後、給湯温度は設定温度に戻り維持される。
【００２９】
上記給湯温度の上昇が起きたとき、あらかじめ、三方弁１８の位置Ａから位置Ｂへの駆動により比例弁２５の開度が絞られる方向に制御が開始されており、かつ、後述するポンプ駆動の継続により図３（ｂ）に示されるように、従来のポンプの駆動停止による単位時間当たりの温度変化量Ｙが、本願ではＹ’となるが、この値以上に給湯温度への影響が少なくなる。また、前述の給湯温度の少量の上昇すら三方弁１８の駆動時間を制御したり、後述するバッファタンクを設けたりすることで解消することができる。
【００３０】
三方弁１８の駆動時間を制御する方法は、給湯湯温が変化しないように比例弁２５の開度調整（フィードバック）制御追従範囲内となるように、位置Ａから位置Ｂへの駆動時間を制御すればよい。この場合、リモコン２１の風呂設定温度より所定量低い温度から三方弁１８の駆動を開始し（位置Ａ）、リモコン２１の風呂設定温度となった時点で駆動を停止する（位置Ｂ）（図３点線部参照）。
【００３１】
また、一缶二水路式燃焼装置での熱交換比率は水（湯）の温度が高い側ほど低いので、風呂側缶体部１ｂに流れる湯の熱交換比率も温度が高くなるにつれて低くなる。よって、給湯湯温の少量の上昇（追い焚き循環管路側の短時間での上昇）後は、風呂側缶体部１ｂに流れる湯が熱交換する熱量は次第に少なくなり湯温の上昇速度が落ちる。そして、最終的に熱交換が行われなくなる所定の温度Ｔｃ（例えば８０度）に達する。
【００３２】
そこで、風呂側缶体部１ｂに流れる湯の温度が、上記所定温度Ｔｃに達するまでの間、熱交換される熱量の減少に合わせてバーナーの燃焼により与えられる熱量を減少させるためにガス供給量を徐々に減少させる。即ち、図３（ｃ）に示すように、ガス比例弁２５の開度を所定の開度（例えば、開度８０％から４０％）まで徐々に絞る（ステップＳ３）。従って、フィードバック制御にて給湯側出湯温度センサ１１が検出する温度に従って、ガス比例弁２５の開度が徐々に絞られるよう制御を行っても、十分追従時間をとることができる。
【００３３】
上記制御は、具体的には、制御装置２０に設けられたマイクロコンピュータ５０によって行われる。図６は、このマイクロコンピュータ５０の概略ブロック図を示す。マイクロコンピュータ５０には、ＣＰＵ５２、ＲＡＭ５３及びＲＯＭ５４がバス５５を介して接続されている。リモコン２１などからの指令信号及び給湯側出湯サーミスタ１１からの出力信号がマイクロコンピュータ５０のインターフェース５１を介して入力されると、上述のフローに従って、三方弁１８、ガス比例弁２５及び後述するようにポンプ１５に制御信号が出される。
【００３４】
このように、風呂追い焚きの停止指令が出されたときに、循環ポンプ１５を止めず、風呂側缶体部１ｂ内に湯に熱交換をさせながら、ガス比例弁２５の開度を徐々に小さくすることにより、給湯側缶体部１ｂに流れる湯に与えられる熱量が一定に保たれ、給湯温度を一定に維持することができる。
【００３５】
また、このとき、循環ポンプ１５の下流位置もしくは三方弁１８の上流位置にバッファタンク（図１における点線部４０）を設け、風呂側缶体部１ｂに流れる湯の温度上昇を緩慢にすることにより、風呂側缶体部１ｂに流れる湯の温度上昇が上述の場合より遅くなる。これにより、上述のガス比例弁２５をより時間をかけてきめ細かく調節することができるので、給湯温度をさらに正確に一定に保つことができるようになる。
【００３６】
そして、風呂側缶体部１ｂ内の湯の温度が一定温度Ｔｃに達すると（ステップＳ４）、風呂側缶体部１ｂ内の湯はこれ以上熱交換を行わないので、ガス比例弁２５の開度はその時点での開度に設定され、さらに、循環ポンプ１５が止められる（ステップＳ５）。この状態は、給湯側缶体部１ｂにのみ水が流れており、給湯単独使用状態である。
【００３７】
次に、この給湯単独使用状態において、風呂追い焚き指令がリモコン２１などにより出されると、本発明の第二の実施の形態によって、給湯温度は以下のように制御される。
【００３８】
図５のステップＳ６以降には、本実施の形態の動作を示すフローチャートが示される。さらに、図４は、本実施の第二の実施の形態における、（ａ）給湯側缶体部１ａ内の水の温度、（ｂ）風呂側缶体部１ｂ内の水の温度、（ｃ）ガス比例弁２５の開度、（ｄ）循環ポンプ１５及び（ｅ）三方弁１８の状態を示すグラフである。
【００３９】
図５のステップＳ６において、追い焚き指令が出された場合、ステップＳ７において、三方弁１８の状態は上述の図２における位置Ｂのまま、循環ポンプ１５を駆動させる（図４（ｄ）参照）。即ち、風呂側缶体部１ｂに流れる湯はすべてバイパス管１９を通り再度風呂側缶体部１ｂに入る。このとき、このバイパス管１９を経由して流れる湯は比較的少量であり、バイパス管１９経由で循環させることにより、この循環する水（湯）はほぼ均一な温度となるが、これを加熱するために必要な熱量は小さい。従って、図４（ａ）に示すように、給湯側出湯温度センサ１１による比例弁２５の開度調整制御追従範囲内なので、給湯温度の変化はない。
【００４０】
そして、図４（ｅ）に示すように、風呂側缶体部１ｂに流れ込むバイパス管１９を流れる湯全部が所定の一定温度Ｔｃになるまでの所定時間ｔ2 の経過後（ステップＳ８）、三方弁１８を図２における位置Ｂから位置Ａに所定時間ｔ3 かけて徐々に調節する。位置Ｂから位置Ａに調節されるにつれて、浴槽１４からの水（湯）の割合がバイパス管１９からの水（湯）の割合より大きくなるので、図４（ｂ）に示すように、風呂側缶体部１ｂに流れ込む水（湯）の温度は徐々に下がる。これに伴って、この温度が低下した風呂側缶体部１ｂに流れ込む水（湯）を所定の設定温度まで加熱するために、比例弁２５の開度を徐々に開き、バーナーの燃焼量を増大させる。
【００４１】
このとき、この風呂側缶体部１ｂに流れ込む水（湯）の温度の変化量は、上記したように、フィードバック制御による比例弁２５の開度制御によって給湯温度を変化させない範囲内の前記上限変化量θ’より大きくならないように、三方弁１８の駆動時間が制御される。そして、給湯温度を変化させない範囲で、風呂側缶体部１ｂに流れ込む水（湯）を所定の設定温度まで加熱するのに必要な熱量を与えるべく、図４（ｄ）に示すように、ガス比例弁２５の開度を制御する（ステップＳ９）。
【００４２】
具体的には、上述した図６において、制御装置２０に設けられたマイクロコンピュータ５０が、フィードバック制御にて給湯側出湯サーミスタ１１が検出する温度に従って、三方弁１８の駆動時間及びガス比例弁２５の開度を制御する。
【００４３】
このように、風呂側缶体部１ｂに流れ込む水（湯）の温度を徐々に低くし、その温度変化に応じた熱量をガス比例弁２５の開度の制御によって与えることにより、給湯側缶体部１ａ内を流れる湯に与える熱量を減少させることなく、風呂追い焚きを行うことができ、給湯温度はほぼ一定に保たれる。
【００４４】
最終的に、三方弁１８が位置Ａの状態に達すると（ステップＳ１０）、風呂側缶体部１ｂに流れ込む水（湯）の温度はこれ以上下がらないので、ガス比例弁２５の開度はその時点の開度に設定され（ステップＳ１１）、給湯と風呂追い焚きの同時使用状態となる。
【００４５】
また、本発明の実施の形態においては、三方弁１８を用いて上記の通り説明したが、本発明においては、三方弁に限られず、図７に示すような流量比率を変えられる機能を有する手段であれば、それを用いることが可能である。図７によれば、モータ６０が取り付けられたシャフト６１が、そのモータ６０の回転により図中左右に移動する。シャフト６１の移動により、シャフト６１に取り付けられた２つの係合部材６２と出口側追い焚き循環管路１３ｂ及びバイパス管１９にそれぞれ設けられた突出部６３との位置関係が調節され、両管６２及び６３への流量の比率を任意に設定することが可能となる。
【００４６】
【発明の効果】
以上説明したとおり、本発明によれば、一缶二水路式燃焼装置において、給湯と風呂追い焚きの同時使用状態の場合に、風呂追い焚きの停止指令が出されて、風呂側缶体部に流れる湯の循環が止められたとき、及び、給湯単独使用状態の場合に、風呂追い焚き指令が出されて、風呂側缶体部に湯が循環し始めたときに、給湯側缶体部内に流れる湯の温度をほぼ一定に保つことができる。
【図面の簡単な説明】
【図１】本発明の実施の形態における一缶二水路式燃焼装置の概略構成図である。
【図２】三方弁１８を説明するための図である。
【図３】本発明の第一の実施の形態における、（ａ）給湯側缶体部内の水の温度、（ｂ）風呂側缶体部内の水の温度、（ｃ）ガス比例弁２５の開度、（ｄ）循環ポンプ１５、（ｅ）三方弁１８の状態を示すグラフである。
【図４】本発明の第二の実施の形態における、（ａ）給湯側缶体部内の水の温度、（ｂ）風呂側缶体部に流れ込む水の温度、（ｃ）ガス比例弁２５の開度、（ｄ）循環ポンプ１５、（ｅ）三方弁１８の状態を示すグラフである。
【図５】本発明の実施の形態の動作を示すフローチャートである。
【図６】制御装置に設けられたマイクロコンピュータのブロック図である。
【図７】三方弁に代わって、流量比率を変えることができる手段の例である。
【符号の説明】
１      缶体
１ａ    給湯側缶体部
１ｂ    風呂側缶体部
１３ａ  入口側追い焚き循環管路
１３ｂ  出口側追い焚き循環管路
１５    循環ポンプ
１８    三方弁
１９    バイパス管
２０    制御装置
２５    ガス比例弁
【図１】
0003776999.tif 000002
【図２】
0003776999.tif 000003
【図３】
0003776999.tif 000004
【図４】
0003776999.tif 000005
【図５】
0003776999.tif 000006
【図６】
0003776999.tif 000007
【図７】
0003776999.tif 000008